(57)【要約】【課題】吸引式リコータ内の吸引圧を低コストで容易かつ安定に制御することが可能な光造形装置を提供する。【解決手段】  光造形装置は、内部空間Ｓ２ａ，Ｓ２ｂを有するとともに内部空間Ｓ２ａ，Ｓ２ｂに負圧を発生する負圧発生ユニット５を備える。負圧発生ユニット５は、ケーシング５０およびファン５３ａ，５３ｂを含む。ケーシング５０は、内部空間Ｓ２ａ，Ｓ２ｂを有するとともに、大気導入口ＡＩおよび排気開口ＥＸを有する。ファン５３ａ，５３ｂは、ケーシング５０内に設けられ、排気開口ＥＸに向かう気流を形成する。連通部材４ａは、リコータの内部空間とケーシング５０の内部空間Ｓ２ａ，Ｓ２ｂとを連通させる。大気導入口ＡＩは、ファン５３ａ，５３ｂよりも上流の位置に設けられる。【選択図】図４
2020124825.tif 000002
【特許請求の範囲】
【請求項１】
光硬化層を上下方向に積層することにより立体的な造形物を製造する光造形装置であって、
液状の光硬化性材料を貯留する貯留槽と、
造形面を有する造形ステージと、
前記造形ステージを前記貯留槽内で上下方向に移動させる第１の駆動部と、
第１の内部空間を有するとともに底部開口を有するリコータと、
前記リコータを前記貯留槽内の光硬化性材料の液面に沿って移動させる第２の駆動部と、
第２の内部空間を有するとともに前記第２の内部空間に負圧を発生する負圧発生ユニットと、
前記リコータの前記第１の内部空間と前記負圧発生ユニットの前記第２の内部空間とを連通させる連通部材と、
前記造形ステージの前記造形面上または光硬化層の上面上の光硬化性材料を露光することにより光硬化層を形成する露光部とを備え、
前記負圧発生ユニットは、
前記第２の内部空間を形成するとともに大気導入口および排気開口を有するケーシングと、
前記ケーシング内に設けられ、前記排気開口に向かう気流を形成するファンとを含み、
前記ケーシングの前記大気導入口は、前記ファンよりも上流の位置に設けられた、光造形装置。
【請求項２】
前記負圧発生ユニットは、
前記ファンを含むファンユニットと、
通気開口を有する負圧チャンバとを含み、
前記ファンユニットは、前記ファンを取り囲みかつ吸気開口および前記排気開口を有するファンケースを含み、
前記ケーシングは、前記負圧チャンバと前記ファンケースとにより構成され、
前記第２の内部空間は、前記負圧チャンバの内部空間および前記ファンケースの内部空間により形成され、
前記ファンユニットと前記負圧チャンバとは、前記吸気開口が前記通気開口に対向するように、かつ、前記ファンケースと前記負圧チャンバとの間に前記第２の内部空間に連通する隙間が形成されるように、配置され、
前記ファンケースと前記負圧チャンバとの間の隙間が前記大気導入口である、請求項１記載の光造形装置。
【請求項３】
前記ケーシングは、前記排気開口を有する負圧チャンバを含み、
前記大気導入口は前記負圧チャンバに設けられた、請求項１記載の光造形装置。
【請求項４】
前記リコータの前記第１の内部空間の圧力と大気圧との差圧を検出する差圧計をさらに備えた、請求項１〜３のいずれか一項に記載の光造形装置。
【請求項５】
前記差圧計により検出された差圧に基づいて、前記リコータの前記第１の内部空間の吸引圧が予め定められた負の値に維持されるように前記ファンを制御する制御部をさらに備えた、請求項４記載の光造形装置。
【請求項６】
前記ファンは、互いに反対方向に回転する第１および第２の羽根を含む反転ファンを含む、請求項１〜５のいずれか一項に記載の光造形装置。
【発明の詳細な説明】
【技術分野】
【０００１】
本発明は、三次元の造形物を製造する光造形装置に関する。
【背景技術】
【０００２】
三次元の造形物を製造する技術として、光造形技術が知られている。光造形技術を用いた光造形装置では、例えば、液状の光硬化性樹脂組成物等の造形材料が容器内に貯留され、支持台が造形材料の液面の下方に沈められる。製造されるべき造形物の断面形状を描くように、容器の上方に配置された露光装置から光が造形材料の液面に照射される。光が照射された造形材料の部分が硬化し、光硬化層が形成される。その後、支持台が一定量（光硬化層の厚さに相当）下降する。この場合、造形材料の表面張力等により支持台の下降だけでは、光硬化層の上面が一層分の造形材料で均一に被覆されない。
【０００３】
特許文献１記載の三次元物体の高速断面積層方法では、アプリケータにより造形材料が光硬化層の上面に塗布されるとともに平滑にされる。アプリケータは、内部空間を有するとともに、底面に開口部を有する。アプリケータの内部空間は、真空供給ラインおよび圧力調整器を通して真空ポンプにより吸引される。それにより、アプリケータの内部空間には部分的に造形材料が充填される。アプリケータの下端は、造形材料の液面のやや上方に位置する。アプリケータの下端と造形材料の液面との間の隙間を埋めるメニスカスが形成される。この状態でアプリケータが水平方向に掃引される。
【先行技術文献】
【特許文献】
【０００４】
【特許文献１】特表平１０−５１３１３０号公報
【発明の概要】
【発明が解決しようとする課題】
【０００５】
特許文献１に記載された高速断面積層方法では、真空ポンプは、圧力調整器を通してアプリケータに接続されている。アプリケータ内に造形材料を保持するために必要な吸引圧は−１００ＰａＧ〜−３００ＰａＧ程度の小さな負圧である。これに対して、一般的に、真空ポンプが発生する圧力は、例えば−６ＫＰａＧ〜−７ＫＰａＧと極めて大きい負圧である。そのため、圧力調整器により真空ポンプの大きな吸引圧を小さな負圧に調整する必要がある。圧力調整器は、アプリケータ内から吸引される空気に大気吸入部から吸入される大気を混合させることによりアプリケータ内の負圧を真空ポンプの吸引圧に比べて大幅に減少させる。
【０００６】
しかしながら、圧力調整器の大気吸入部にごみまたは埃等の異物が付着すると、圧力調整器による吸引圧が変動する。そのため、アプリケータ内の吸引圧を安定に制御するためには、高価な圧力調整器を使用する必要がある。また、圧力調整器の大気吸入部への異物の付着による圧力変動を防止するためには、圧力調整器を頻繁に洗浄する必要がある。さらに、圧力調整器の大気吸入部が詰まると、圧力調整機能が失われ、アプリケータ内の真空吸引が進み、アプリケータ内の造形材料が圧力調整器に流入する。圧力調整器への造形材料の流入を防止するためには、電磁弁等の開放弁を設ける必要がある。そのため、真空ポンプおよび圧力調整器を用いた高速断面積層方法では、部品コストおよびメンテナンスコストが高くなる。なお、アプリケータは、リコータとも呼ばれる。
【０００７】
本発明の目的は、吸引式リコータ内の吸引圧を低コストで容易かつ安定に制御することが可能な光造形装置を提供することである。
【課題を解決するための手段】
【０００８】
（１）本発明に係る光造形装置は、光硬化層を上下方向に積層することにより立体的な造形物を製造する光造形装置であって、液状の光硬化性材料を貯留する貯留槽と、造形面を有する造形ステージと、造形ステージを貯留槽内で上下方向に移動させる第１の駆動部と、第１の内部空間を有するとともに底部開口を有するリコータと、リコータを貯留槽内の光硬化性材料の液面に沿って移動させる第２の駆動部と、第２の内部空間を有するとともに第２の内部空間に負圧を発生する負圧発生ユニットと、リコータの第１の内部空間とケーシングの第２の内部空間とを連通させる連通部材と、造形ステージの造形面上または光硬化層の上面上の光硬化性材料を露光することにより光硬化層を形成する露光部とを備え、負圧発生ユニットは、第２の内部空間を形成するとともに大気導入口および排気開口を有するケーシングと、ケーシング内に設けられ、排気開口に向かう気流を形成するファンとを含み、ケーシングの大気導入口は、ファンよりも上流の位置に設けられる。なお、ここでいう上流とは、排気開口に向かう気流の流れを基準とする。
【０００９】
その光造形装置においては、負圧発生ユニットによりリコータの第１の内部空間に負の吸引圧が発生する。それにより、リコータの第１の内部空間に底部開口から貯留槽内の光硬化性材料が吸引される。リコータは、第２の駆動部により貯留槽内の光硬化性材料の液面に沿って移動する。それにより、ステージの造形面または光硬化層の上面に光硬化性材料が塗布される。造形面上または光硬化層の上面上の光硬化性材料が露光部により露光されることにより、造形面上または光硬化層上に新たな光硬化層が形成される。ステージが貯留槽内の光硬化性材料の液面から１層の厚さに相当する高さだけ下降された後、上記の動作が繰り返される。それにより、ステージの造形面上に光硬化層が上下方向に積層される。
【００１０】
負圧発生ユニットにおいては、ファンが回転することによりケーシング内の気体が排気開口から排出される。同時に、ケーシングの大気導入口から大気が導入されるため、ケーシングの第２の内部空間において大気導入口から排気開口へ向かう気流が発生する。それにより、ケーシングの第２の内部空間においてファンの上流に負圧が発生する。ケーシングの第２の内部空間は、連通部材によりリコータの第１の内部空間に連通しているので、リコータの第２の内部空間に負の吸引圧が発生する。
【００１１】
この場合、ケーシング内に大気が導入されつつケーシング内の気体がファンにより排出されるので、ケーシング内の負圧の値は小さい。そのため、圧力調整器を設けることなくリコータ内に小さな負の吸引圧を発生させることができる。それにより、圧力調整器の部品コストおよびメンテナンスコストが不要となる。また、負圧発生ユニットとリコータとの間に圧力変動を生じやすい圧力調整器が介在しないので、リコータ内の吸引圧の変動が生じにくい。さらに、ファンの回転速度を制御することによりリコータ内の吸引圧を容易に制御することができる。したがって、吸引式リコータ内の吸引圧を低コストで容易かつ安定に制御することが可能となる。
【００１２】
（２）負圧発生ユニットは、ファンを含むファンユニットと、通気開口を有する負圧チャンバとを含み、ファンユニットは、ファンを取り囲みかつ吸気開口および排気開口を有するファンケースを含み、ケーシングは、負圧チャンバとファンケースとにより構成され、第２の内部空間は、負圧チャンバの内部空間およびファンケースの内部空間により形成され、ファンユニットと負圧チャンバとは、吸気開口が通気開口に対向するように、かつ、ファンケースと負圧チャンバとの間に第２の内部空間に連通する隙間が形成されるように、配置され、ファンケースと負圧チャンバとの間の隙間が大気導入口であってもよい。
【００１３】
この場合、ファンケースと負圧チャンバとの間に隙間が形成されるようにファンユニットを負圧チャンバに取り付けることにより、ケーシングを構成することができるとともに、隙間を大気導入口として形成することができる。したがって、負圧発生ユニットを容易に作製することが可能となる。
【００１４】
（３）ケーシングは、排気開口を有する負圧チャンバを含み、大気導入口は負圧チャンバに設けられてもよい。
【００１５】
この場合、負圧チャンバに大気導入口を形成することにより負圧発生ユニットを容易に作製することができる。
【００１６】
（４）光造形装置は、リコータの第１の内部空間の圧力と大気圧との差圧を検出する差圧計をさらに備えてもよい。
【００１７】
この場合、差圧計により検出される差圧に基づいてリコータの第１の内部空間の吸引圧を正確かつ容易にモニタすることができる。
【００１８】
（５）光造形装置は、差圧計により検出された差圧に基づいて、リコータの第１の内部空間の吸引圧が予め定められた負の値に維持されるようにファンを制御する制御部をさらに備えてもよい。
【００１９】
この場合、リコータの吸引圧の値を容易かつ正確に一定に維持することができる。それにより、リコータ内に正確に一定量の光硬化性材料をさらに安定に保持することができる。
【００２０】
（６）ファンは、互いに反対方向に回転する第１および第２の羽根を含む反転ファンを含んでもよい。この場合、ファンの回転速度に対する流量の直線性が高く安定した気流が形成されるので、さらに安定した負圧を発生することが可能となる。
【発明の効果】
【００２１】
本発明によれば、リコータ内の吸引圧を低コストで容易に制御することが可能となる。
【図面の簡単な説明】
【００２２】
【図１】実施の形態に係る光造形装置の構成を示す模式図である。
【図２】リコータの構成の一例を示す模式的斜視図である。
【図３】負圧発生ユニットの模式的斜視図である。
【図４】負圧発生ユニットの模式的断面図である。
【図５】負圧発生ユニットの他の第１の例を示す模式的断面図である。
【図６】負圧発生ユニットの他の第２の例を示す模式的断面図である。
【図７】負圧発生ユニットの他の第３の例を示す模式的断面図である。
【発明を実施するための形態】
【００２３】
以下、本発明の実施の形態に係る光造形装置について、図面を参照しながら説明する。
【００２４】
（１）光造形装置の全体の構成
図１は実施の形態に係る光造形装置の構成を示す模式図である。図１に示すように、光造形装置１００は、貯留槽１、造形ステージ２、リコータ３、チューブ４ａ，４ｂおよび負圧発生ユニット５を備える。貯留槽１内には、液状の光硬化性材料２１が保持される。光硬化性材料２１は、例えば、液状の光硬化性樹脂組成物である。貯留槽１内には、造形ステージ２が上下動可能に設けられる。造形ステージ２は、水平な造形面２ａを有する。造形面２ａは、貯留槽１内の光硬化性材料２１中に沈められる。
【００２５】
リコータ３は、内部空間Ｓ１および底部開口ＢＯを有し、貯留槽１内の光硬化性材料２１の液面に沿って水平方向に移動可能に設けられている。負圧発生ユニット５は、負圧チャンバ５１およびファンユニット５２を含み、負圧を発生する。負圧チャンバ５１により発生される負圧は、例えば−１００ＰａＧ〜−２８０ＰａＧ程度である。負圧チャンバ５１により発生される最大圧力は、例えば−６００ＰａＧ程度である。負圧および最大圧力は、後述する大気導入口ＡＩの開口面積によっておよそ決まり、さらに、後述するファンの回転数によって微調整が可能である。
【００２６】
リコータ３と負圧チャンバ５１とはチューブ４ａにより接続されている。チューブ４ａは、リコータ３の内部空間Ｓ１と負圧チャンバ５１の内部空間とを連通させる連通部材である。後述するように、負圧チャンバ５１は、リコータ３の内部空間Ｓ１に大気圧に対して負の吸引圧を与える。それにより、リコータ３の内部空間Ｓ１に底部開口ＢＯを通して光硬化性材料２１が吸引され、リコータ３内に保持される。
【００２７】
光造形装置１００は、差圧計６、ステージ駆動部７、リコータ駆動部８および露光部９をさらに備える。差圧計６とリコータ３とはチューブ４ｂにより接続されている。差圧計６は、微小な圧力差を検出する微差圧計である。チューブ４ｂは、リコータ３の内部空間Ｓ１と差圧計６とを連通させる。差圧計６は、リコータ３の内部空間Ｓ１の吸引圧と大気圧との差圧を検出する。ステージ駆動部７は、造形ステージ２を上下方向に移動させる。リコータ駆動部８は、リコータ３を水平方向に移動させる。
【００２８】
露光部９は、光源９１および偏向装置９２を含む。光源９１は、例えばレーザ発振器を含み、光硬化性材料２１の感光性波長領域の波長を有する光Ｌを出射する。偏向装置９２は、例えば、ガルバノミラーを含み、光源９１により出射された光Ｌを反射するとともに、造形ステージ２の造形面２ａ上で光Ｌを走査させる。
【００２９】
制御部１０は、例えばＣＰＵ（中央演算処理装置）および記憶装置により構成される。記憶装置には、製造されるべき造形物の三次元形状を示す形状データが記憶される。制御部１０は、光源９１を制御するとともに、形状データに基づいてステージ駆動部７、リコータ駆動部８および偏向装置９２を制御する。また、制御部１０は、差圧計６により検出された差圧に基づいてファンユニット５２を制御する。
【００３０】
造形動作時には、造形面２ａが貯留槽１内の光硬化性材料の液面より下方に下降する。光硬化性材料２１は比較的高い粘性を有するので、短時間で造形面２ａの上面の全体に拡がりにくい。そこで、光硬化性材料２１を保持するリコータ３が光硬化性材料２１の液面から僅かに上方に離間した状態で水平方向に移動する。この場合、リコータ３の下端は、貯留槽１内の光硬化性材料２１の液面から例えば５０μｍ〜２００μｍ上方の位置に調整される。この状態で、リコータ３の下端と光硬化性材料２１の液面との間にメニスカスが形成される。それにより、リコータ３の内部空間Ｓ１が閉空間となる。
【００３１】
光硬化性材料２１を保持するリコータ３が水平方向に移動することにより、造形面２ａに光硬化層の１層に相当する厚みを有する光硬化性材料２１が塗布される。この状態で、造形面２ａ上の光硬化性材料２１に光Ｌが照射されることにより光硬化性材料２１が硬化し、所望のパターンを有する光硬化層２２が形成される。１つの光硬化層２２が形成された後、造形ステージ２が光硬化層２２の１層に相当する距離だけ下降した後、リコータ３の水平移動により光硬化層２２の上面に光硬化性材料２１が塗布され、光硬化層２２上の光硬化性材料２１に光Ｌが照射される。造形ステージ２の下降、リコータ３の水平移動および露光部９による露光が繰り返されることにより、複数の光硬化層２２が積層される。その結果、所望の立体形状を有する三次元の造形物が製造される。
【００３２】
（２）リコータ３の構成
図２はリコータ３の構成の一例を示す模式的斜視図である。図２に示すように、リコータ３は、長方形状のケース３１を含む。ケース３１は、図１の内部空間Ｓ１および底部開口ＢＯ（図１参照）を有する。ケース３１の上面には、分岐ジョイント管３４が取り付けられている。分岐ジョイント管３４は、第１の分岐部３４ａおよび第２の分岐部３４ｂを有する。第１の分岐部３４ａには図１のチューブ４ａの一端が接続され、第２の分岐部３４ｂにはチューブ４ｂの一端が接続される。ケース３１の長手方向の下端３２は、斜め下方に向かって広がるように形成されている。
【００３３】
（３）負圧発生ユニット５の構成
図３は負圧発生ユニット５の模式的斜視図である。図４は負圧発生ユニット５の模式的断面図である。図３に示すように、負圧発生ユニット５は、負圧チャンバ５１およびファンユニット５２を含む。図３では、ファンユニット５２の形状が簡略化されている。図４において、点線の矢印は空気の流れを示している。以下の図５〜図７においても同様である。
【００３４】
負圧チャンバ５１は、円筒状の周壁５１ａ、底板５１ｂおよび上板５１ｃにより構成される。ファンユニット５２は、負圧チャンバ５１の上板５１ｃ上に取り付けられている。負圧チャンバ５１の上板５１ｃの上面とファンユニット５２の下端との間には、所定の厚みを有する複数の環状のスペーサ５６が取り付けられている。それにより、ファンユニット５２の下端と負圧チャンバ５１の上面との間に隙間ＧＰが形成されている。
【００３５】
図４に示すように、負圧チャンバ５１は内部空間Ｓ２ａを有する。負圧チャンバ５１の上板５１ｃの中央部には通気開口ＰＳが形成されている。ファンユニット５２は、２つのファン５３ａ，５３ｂおよびファンケース５５を含む。２つのファン５３ａ，５３ｂの各々は、ファンモータおよび複数の羽根により構成される。ファンケース５５は、円柱状の内部空間Ｓ２ｂを有するとともに、円形の吸気開口ＩＮおよび円形の排気開口ＥＸを有する。ファンケース５５内に２つのファン５３ａ，５３ｂが収容されている。本実施の形態では、ファンユニット５２は、２つのファン５３ａ，５３ｂが互いに逆方向に回転する二重反転ファンユニットである。
【００３６】
ファンユニット５２は、負圧チャンバ５１の通気開口ＰＳとファンケース５５の吸気開口ＩＮとが重なるように配置されている。また、ファンケース５５の下端フランジと負圧チャンバ５１の上板５１ｃとが複数のスペーサ５６を挟んでボルト６１により固定されている。ファンケース５５の下端と負圧チャンバ５１の上面との間の隙間ＧＰは、内部空間Ｓ２ａ，Ｓ２ｂに連通している。
【００３７】
また、負圧チャンバ５１の上板５１ｃには、通気開口ＰＳから離間した位置に、吸入孔ＳＣが形成されている。吸入孔ＳＣには、ジョイント管５７が取り付けられている。ジョイント管５７には、図１のチューブ４ａの他端が接続される。
【００３８】
本実施の形態では、負圧チャンバ５１およびファンケース５５がケーシング５０を形成する。ケーシング５０の内部空間Ｓ２ａ，Ｓ２ｂは、通気開口ＰＳおよび吸気開口ＩＮを通して一体化している。ファンケース５５と負圧チャンバ５１との間の隙間ＧＰは、ファン５３ａ，５３ｂの上流に設けられた大気導入口ＡＩである。本実施の形態では、隙間ＧＰの開口面積は排気開口ＥＸの面積よりも大きい。
【００３９】
（４）負圧発生ユニット５の動作
図１の制御部１０の制御によりファンユニット５２のファン５３ａ，５３ｂが回転すると、ファンケース５５の吸気開口ＩＮから排気開口ＥＸに向かう気流が発生し、負圧チャンバ５１内の気体が排気開口ＥＸから排出される。同時に、隙間ＧＰからファン５３ａの上流に大気が導入され、負圧チャンバ５１の内部空間Ｓ２ａおよびファンケース５５の内部空間Ｓ２ｂに隙間ＧＰから排気開口ＥＸへ向かう気流が発生する。ファン５３ａ，５３ｂの回転による隙間ＧＰおよび排気開口ＥＸを通る気流において隙間ＧＰでの流路抵抗が排気開口ＥＸでの流路抵抗よりも大きくなるように、隙間ＧＰの開口面積または形状等が設定されている。そのため、負圧チャンバ５１の内部空間Ｓ２ａおよびファンケース５５の内部空間Ｓ２ｂにおいてファン５３ａの上流に負圧が発生する。この場合、内部空間Ｓ２ａ，Ｓ２ｂ内に大気が導入されつつ負圧チャンバ５１内の気体がファン５３ａ，５３ｂにより排出されるので、負圧の値は小さい。
【００４０】
負圧チャンバ５１の内部空間Ｓ２ａおよびファンケース５５の内部空間Ｓ２ｂは、チューブ４ａによりリコータ３の内部空間Ｓ１に連通しているので、リコータ３の内部空間Ｓ１に負の吸引圧が発生する。その結果、貯留槽１内の光硬化性材料２１がリコータ３の底部開口ＢＯを通して内部空間Ｓ１に吸引され、リコータ３内の下部に充填される。リコータ３の内部空間Ｓ１の上部は負圧発生ユニット５により負の吸引圧に維持される。それにより、リコータ３内に一定量の光硬化性材料２１が保持される。
【００４１】
一方、負圧発生ユニット５におけるファンケース５５と負圧チャンバ５１の上面との間に隙間ＧＰがない場合には、ファン５３ａ，５３ｂにより負圧チャンバ５１の内部空間Ｓ２ａから排出される空気の量が不足し、ファンユニット５２の吸気開口ＩＮで乱気流が発生する。それにより、リコータ３内の負の吸引圧が不安定になる。
【００４２】
これに対して、本実施の形態の負圧発生ユニット５では、隙間ＧＰからファンケース５５内を経由して排気開口ＥＸに至る気流が常時形成されるので、負圧チャンバ５１内の空気の不足による乱気流の発生が防止される。それにより、リコータ３内の負の吸引圧が安定に維持される。
【００４３】
リコータ３の内部空間Ｓ１の上部は一定の負の吸引圧に維持される。それにより、リコータ３内に一定量の光硬化性材料２１が保持される。負圧チャンバ５１の内部空間Ｓ２ａの負圧の値は、ファン５３ａ，５３ｂの回転速度（単位時間当たりの回転数）により変化する。そのため、制御部１０は、差圧計６により検出された差圧に基づいてファン５３ａ，５３ｂの回転速度を制御することにより、リコータ３内の負の吸引圧の値を制御することができる。本実施の形態では、制御部１０は、差圧計６により検出される差圧が所定の値になるようにファン５３ａ，５３ｂの回転速度をフィードバック制御する。具体的には、制御部１０は、ファン５３ａ，５３ｂに与える駆動信号（例えば、デューティ比等）を変化させることによりファン５３ａ，５３ｂの回転速度を容易に制御することができる。
【００４４】
（５）実施例
本発明者は、実施例として、図３および図４の負圧発生ユニット５を作製し、性能の評価を行った。ファンユニット５２の吸気開口ＩＮおよび排気開口ＥＸの直径は４０ｍｍである。負圧チャンバ５１の上面とファンケース５５の下端との間の隙間ＧＰの高さは２ｍｍである。この場合、吸気開口ＩＮおよび排気開口ＥＸの面積は、１２５６ｍｍ２であり、隙間ＧＰの面積は約２５０ｍｍ２である。負圧チャンバ５１の内部空間Ｓ２ａの直径は１２５ｍｍであり、負圧チャンバ５１の内部空間Ｓ２ａの高さは８０ｍｍである。
【００４５】
上記の負圧発生ユニット５を用いて図１の光造形装置１００を作製し、リコータ３内の吸引圧の変化を測定した。その結果、光造形装置１００の運転によるリコータ３内の吸引圧の変化は８か月間で１０ＰａＧ以下であり、８か月間メンテナンスが不要であった。
【００４６】
なお、上記の負圧発生ユニット５の各部の寸法は一例であり、負圧発生ユニット５の各部の寸法は上記の例に限定されない。
【００４７】
（６）実施の形態の効果
リコータ３内の吸引圧の最適な値は、例えば、−１００ＰａＧ〜−２８０ＰａＧの範囲内である。一方、本実施の形態の負圧発生ユニット５により発生される最大圧力は、例えば−６００ＰａＧであり、真空ポンプにより発生される負の圧力（例えば、−６．６ＫＰａＧ）の１０分の１以下である。また、制御部１０がファン５３ａ，５３ｂの回転速度を制御することにより、負圧発生ユニット５により発生される負圧の値を容易に−１００ＰａＧ〜−２８０ＰａＧの範囲内の値に調整することができる。このように、本実施の形態の負圧発生ユニット５により発生される負圧は、リコータ３内の最適な吸引圧とほぼ等しいため、圧力調整器が不要となる。そのめた、圧力調整器の部品コストおよびメンテナンスコストが不要となる。
【００４８】
リコータ３内の負の吸引圧が変化すると、リコータ３内に保持される光硬化性材料２１の量が変化する。この場合、光硬化層２２上に塗布される光硬化性材料２１の厚みが一定とならない。それにより、製造される造形物の仕上がり精度が低くなる。本実施の形態の負圧発生ユニット５では、圧力調整器の大気吸入部のように微細な流路を設ける必要がないため、微細な流路にごみまたは埃等の異物が付着することによる吸引圧の変動が生じにくい。また、ファン５３ａ，５３ｂの回転速度を制御することによりリコータ３内の吸引圧を容易に一定の値に制御することができる。したがって、外部環境に影響されることなく、リコータ３内の吸引圧を低コストで容易かつ安定に制御することが可能となる。それにより、リコータ３内に保持される光硬化性材料２１の量を一定に維持することができるので、光硬化層２２上に塗布される光硬化性材料２１の厚みを一定にすることができる。その結果、高い精度を有する造形物を長期間にわたって低コストで製造することが可能となる。
【００４９】
また、制御部１０が差圧計６により検出される差圧に基づいてリコータ３内の吸引圧を正確かつ容易にモニタすることができる。それにより、制御部１０がファン５３ａ，５３ｂの回転速度をフィードバック制御することができる。したがって、リコータ３内の吸引圧を正確に一定の値に制御することができる。その結果、リコータ３内に正確に一定量の光硬化性材料を保持することができる。
【００５０】
また、造形動作中に制御部１０がリコータ３の内部空間Ｓ１の吸引圧をモニタすることができるので、何らかの不具合によりリコータ３内の吸引圧が所定の範囲（例えば、−８０ＰａＧ〜−３００ＰａＧ）から外れた場合に、制御部１０がファン５３ａ，５３ｂを停止させるとともに造形動作を中断することができる。ファン５３ａ，５３ｂが停止すると、隙間ＧＰおよび排気開口ＥＸから大気が負圧チャンバ５１内に導入されるため、負圧チャンバ５１の内部空間Ｓ２ａの負圧が瞬時に大気圧となる。このように、ファン５３ａ，５３ｂが開放弁として機能する。したがって、電磁弁等の開放弁を設けることなく、リコータ３内の光硬化性材料２１がチューブ４ａを通して負圧チャンバ５１内に流入することを防止することができる。
【００５１】
さらに、大きな面積を有する光硬化層２２上に光硬化性材料２１を塗布する場合には、制御部１０がファン５３ａ，５３ｂの回転速度を増加させることにより、リコータ３内への光硬化性材料２１の吸引速度を上げることができる。それにより、光硬化層２２が大きな面積を有する場合でも、リコータ３内の光硬化性材料２１が不足することがなく、光硬化層２２上に光硬化性材料２１を均一に塗布することができる。
【００５２】
また、リコータ３の水平移動の間、貯留槽１内の光硬化性材料２１とリコータ３内の光硬化性材料２１とが連続しているので、光硬化性材料２１の液面の泡がリコータ３内に吸引されない。それにより、造形物に泡が含まれることを防止することができる。
【００５３】
さらに、リコータ３内の吸引圧の適切な値が負圧発生ユニット５において発生される負圧の値とほぼ等しいので、リコータ３内の吸引圧が設定値から変動した場合に、制御部１０がファン５３ａ，５３ｂの回転速度を調整することによりリコータ３内の吸引圧が瞬時に設定値に復帰する。このように、設定値への吸引圧の復帰応答性が高いため、リコータ３の形状および容積の自由度が大きい。それにより、リコータ３の塗布性能を容易に改善することができる。
【００５４】
また、負圧発生ユニット５のファンユニット５２として二重反転ファンユニットが用いられた場合、ファンの回転速度に対する流量の直線性が高く安定した気流が形成されるので、さらに安定した負圧を発生することが可能となる。
【００５５】
（７）他の実施の形態
（７−１）
図５は負圧発生ユニット５の他の第１の例を示す模式的断面図である。図５の負圧発生ユニット５では、負圧チャンバ５１の上面とファンケース５５の下端との間に隙間が設けられていない。負圧チャンバ５１の周壁５１ａに一または複数の大気導入口ＡＩが形成されている。本例では、ファンケース５５および負圧チャンバ５１がケーシング５０を構成する。
【００５６】
本例においても、ファン５３ａの上流においてケーシング５０に大気導入口ＡＩが設けられている。それにより、造形動作時には、ファン５３ａ，５３ｂが回転することにより負圧チャンバ５１内の空気が排気開口ＥＸから排出されるとともに、大気導入口ＡＩから負圧チャンバ５１の内部空間Ｓ２ａ，Ｓ２ｂを経由して排気開口ＥＸに至る気流が発生する。それにより、負圧チャンバ５１内およびファンケース５５内のファン５３ａの上流の領域に負圧が発生する。
【００５７】
（７−２）
図６は負圧発生ユニット５の他の第２の例を示す模式的断面図である。図６の負圧発生ユニット５においても、負圧チャンバ５１の上面とファンケース５５の下端との間に隙間が設けられていない。隙間の代わりに、負圧チャンバ５１の底板５１ｂの中央部に通気開口ＰＳおよび排気開口ＥＸと対向するように大気導入口ＡＩが形成されている。負圧チャンバ５１の底板５１ｂの下面には複数の脚部５８が設けられている。本例においても、ファンケース５５および負圧チャンバ５１がケーシング５０を構成する。
【００５８】
本例では、大気導入口ＡＩがファン５３ａの上流でかつ排気開口ＥＸと対向する位置に設けられているので、負圧チャンバ５１の内部空間Ｓ２ａの下端から排気開口ＥＸに至る気流が効率よく形成される。それにより、負圧チャンバ５１内およびファンケース５５内のファン５３ａの上流の領域に効率よく負圧を発生することができる。
【００５９】
（７−３）
図７は負圧発生ユニット５の他の第３の例を示す模式的断面図である。図７の負圧発生ユニット５では、負圧チャンバ５１の上板５１ｃの中央部に排気開口ＥＸが形成されている。排気開口ＥＸには、ファンユニット５２ａが設けられている。ファンユニット５２ａは、ファンケース５５ａおよび１つのファン５３ａを含む。本例では、負圧チャンバ５１がケーシング５０である。
【００６０】
造形動作時には、ファン５３ａが回転することにより負圧チャンバ５１内の空気が排気開口ＥＸから排出されるとともに、大気導入口ＡＩから負圧チャンバ５１の内部空間Ｓ２を経由して排気開口ＥＸに至る気流が発生する。それにより、負圧チャンバ５１内におけるファン５３ａの上流の領域に負圧が発生する。
【００６１】
（７−４）
図１〜図４の実施の形態では、ファンユニット５２と負圧チャンバ５１との間にスペーサ５６を設けることにより隙間ＧＰが形成されているが、他の構造により隙間ＧＰが形成されてもよい。例えば、ファンユニット５２と負圧チャンバ５１との間に隙間ＧＰが形成されるようにファンケース５５が負圧チャンバ５１にボルト等の固定部材により固定されてもよい。
【００６２】
（７−５）
図１〜図７の実施の形態では、負圧チャンバ５１が円筒形状を有するが、負圧チャンバ５１が長方形状等の他の形状に形成されてもよい。また、大気導入口ＡＩの位置および数は、上記実施の形態における位置および数に限定されない。１または複数のファンの上流におけるケーシング５０の任意の位置に任意の数の大気導入口ＡＩが設けられてもよい。また、隙間ＧＰ、大気導入口ＡＩおよび排気開口ＥＸの形状は、上記実施の形態における形状に限定されず、任意の形状を有する隙間ＧＰ、大気導入口ＡＩおよび排気開口ＥＸが設けられてもよい。
【００６３】
（７−６）
図１〜図６の実施の形態では、ファンユニット５２として二重反転ファンユニットが用いられるが、図１〜図６の実施の形態において二重反転ファンユニットの代わりに図７の例と同様に１つのファン５３ａを有するファンユニット５２ａが用いられてもよい。
【００６４】
（７−７）
図１の偏向装置９２はガルバノミラーに限定されず、電磁ミラー等の他の可動ミラーにより構成されてもよい。あるいは、偏向装置９２は、ＮＣ（Numerically Controlled）テーブルにより光の照射位置を制御可能な複数のミラーまたは光ファイバ等の光学素子により構成されてもよい。あるいは、偏向装置９２の代わりに、所望の透光パターンが形成されたマスク部材が用いられてもよい。この場合、光源９１から非収束光等の面状の光がマスク部材に照射されることにより、一括方式の露光が行われる。
【符号の説明】
【００６５】
１…貯留槽，２…造形ステージ，２ａ…造形面，３…リコータ，４ａ，４ｂ…チューブ，５…負圧発生ユニット，６…差圧計，７…ステージ駆動部，８…リコータ駆動部，９…露光部，１０…制御部，２１…光硬化性材料，２２…光硬化層，３１…ケース，３２…下端，３４…分岐ジョイント管，３４ａ…第１の分岐部，３４ｂ…第２の分岐部，５０…ケーシング，５１…負圧チャンバ，５１ａ…周壁，５１ｂ…底板，５１ｃ…上板，５２，５２ａ…ファンユニット，５３ａ，５３ｂ…ファン，５５，５５ａ…ファンケース，５６…スペーサ，５７…ジョイント管，５９，Ｓ１，Ｓ２，Ｓ２ａ，Ｓ２ｂ…内部空間，６０…脚部，６１…ボルト，９１…光源，９２…偏向装置，１００…光造形装置，ＡＩ…大気導入口，ＢＯ…底部開口，ＥＸ…排気開口，ＧＰ…隙間，ＩＮ…吸気開口，Ｌ…光，ＰＳ…通気開口，ＳＣ…吸入孔
【図１】
2020124825.tif 000003
【図２】
2020124825.tif 000004
【図３】
2020124825.tif 000005
【図４】
2020124825.tif 000006
【図５】
2020124825.tif 000007
【図６】
2020124825.tif 000008
【図７】
2020124825.tif 000009